(57)【要約】      （修正有）【課題】筆記具で３種類の色調の表示を可能にした磁気表示パネルを備えた磁気ボードを提供する。【解決手段】筆記用磁性体１０にて筆記させる磁気表示パネル１を備えた磁気ホードＤであって、当該磁気表示パネルは、表面板７と裏面板８間に多数のセル５を備え、少なくとも表面板を透明板または半透板で構成し、各セルには降伏値を有する液体９と、各セルに対して反転不能な状態で表面板側と裏面板側に自由に移動可能な磁性体６とを封入させ、磁性体はＮ極表面部とＳ極表面部とが互いに異なる色に施され、表面板から見た隣り合う各セルには互いに異なる極性となるように前記磁性体を挿入して封入していることを特徴とする。【選択図】図９
0003207406.tif 000002
【実用新案登録請求の範囲】
【請求項１】
筆記用磁性体にて筆記させる磁気表示パネルを備えた磁気ボードであって、当該磁気表示パネルは、表面板と裏面板間に多数のセルを備え、少なくとも表面板を透明板または半透板で構成し、各セルには降伏値を有する液体と、各セルに対して反転不能な状態で表面板側と裏面板側に自由に移動可能な磁性体とを封入させ、磁性体はＮ極表面部とＳ極表面部とが互いに異なる色に施され、表面板から見た隣り合う各セルには互いに異なる極性となるように前記磁性体を挿入して封入していることを特徴とする磁気ボード。
【請求項２】
請求項１において、前記磁気表示パネルの裏面板に沿って強磁性体の板を移動可能に配置し、当該板を移動させた時に前記各セル内の磁性体が裏面板側に移動するように構成したことを特徴とする磁気ボード。
【請求項３】
請求項１において、前記磁気表示パネルの液体は、前記磁性体に施した色と異なる色に着色していることを特徴とする磁気ボード。
【考案の詳細な説明】
【技術分野】
【０００１】
本考案は、筆記用磁性体にて筆記させる磁気表示用パネルを備えた磁気ボードに関するものである。
【背景技術】
【０００２】
この種の磁気ボードに利用される表示用パネルとして図１１に図示する磁気泳動反転表示パネルが公知である。この磁気泳動反転表示パネルは次のように構成している。表面板１００と裏面板１１１間に複数の仕切板１１２で仕切られた多数のセル１１５を備え、少なくとも表面板１００を透明板または半透板で構成し、各セル１１５には降伏値を有し着色した液体１０３と、各セル１１５に対して反転可能な状態で表面板１００側と裏面板１１１側に自由に移動可能な磁性体（微小磁石）１０２とを封入させ、磁性体（微小磁石）１０２はＮ極側表面とＳ極側表面とが互いに異なる色に施されている。磁気泳動反転表示パネルの裏面側には、消去用磁石１１４をスライドさせ表面板１００側の磁性体（微小磁石）１０２を裏面板１１１側に引き寄せるようにしている。
【０００３】
このように構成した磁気泳動反転表示パネルは、３色の磁気表示を可能とするものである。すなわち、第１の色調は、消去用磁石１１４を用いて裏面板１１１側に磁性体（微小磁石）１０２を引寄せた祭には、着色した液体１０３が磁性体（微小磁石）１０２を隠蔽するので、表面板１００側から見ると画一的な着色した液体１０３の色調表示として得られる。（図１１−ａ）
【０００４】
第２の色調は、筆記したい部分に筆記用磁石１０５の特定磁石(例えばＳ極性)を選択して外部磁界を作用させることにより、降伏値を有し着色した液体１０３中の磁性体（微小磁石）１０２を泳動または泳動/反転させ、磁性体（微小磁石）１０２の特定面(例えばＮ極面)の色調を表示させることで得られる。（図１１−ｂ）
【０００５】
第３の色調は、筆記したい部分に第２の色調表示させるときに使用した筆記用磁石１０５と異なる極性の特定磁石(例えばＮ極性)を選択して外部磁界を作用させることにより、降伏値を有し着色した液体１０３中の磁性体（微小磁石）１０２を泳動または泳動/反転させ、磁性体（微小磁石）１０２の特定面(例えばＳ極面)の色調を表示させることで得られる。（図１１−ｃ）
【０００６】
また、第３の色調は、第２の色調表示による筆跡を得た後、前記特定面の色調が表示された筆跡に対して反転磁石１０６による反対の磁極の磁界を筆跡を形成していない他の磁性体（微小磁石）１０２を泳動させない範囲で作用させることにより、第２の色調表示で筆跡を形成している任意の部分の磁性体（微小磁石）１０２を反転させ、筆跡の形態を変えることなく、第２の色調表示による筆跡の任意の部分の色調を変化させることにより得られる。（図１１−ｃ）
【０００７】
このように、磁気泳動反転表示パネルは、磁性体（微小磁石）１０２を泳動または泳動/反転させて表示色を変化させ２色の表示を形成し、さらに裏面から消去用磁石により磁性体（微小磁石）１０２を引寄せて表示を消去することにより表示される背景色の表示とで３色の表示を行うことが出来るものである。(特許文献１)
【先行技術文献】
【特許文献】
【０００８】
【特許文献１】ＷＯ２００５／０３３７９０号公報
【考案の概要】
【考案が解決しようとする課題】
【０００９】
このような磁気泳動反転表示パネルを備えた磁気ボードは、２種類の筆記用磁石による２種類の色調しか得られず、背景色を含めても３色でしか表示出来ないものである。
本考案は、このような課題を解決した磁気ボードを提供するもので、筆記具で３種類の色調を表示でき、背景色も含めると４色の表示を可能にした磁気表示パネルを備えた磁気ボードを提供することを目的とする。
【課題を解決するための手段】
【００１０】
請求項１の磁気ボードは、筆記用磁性体にて筆記させる磁気表示パネルを備えた磁気ボードであって、当該磁気表示パネルは、表面板と裏面板間に多数のセルを備え、少なくとも表面板を透明板または半透板で構成し、各セルには降伏値を有する液体と、各セルに対して反転不能な状態で表面板側と裏面板側に自由に移動可能な磁性体とを封入させ、磁性体はＮ極表面部とＳ極表面部とが互いに異なる色に施され、表面板から見た隣り合う各セルには互いに異なる極性となるように前記磁性体を挿入して封入していることを特徴とする。
【００１１】
請求項２の磁気ボードは、請求項１において、前記磁気表示パネルの裏面板に沿って強磁性体の板を移動可能に配置し、当該金属板を移動させた時に前記各セル内の磁性体が裏面板側に移動するように構成したことを特徴とする。
【００１２】
請求項３の磁気ボードは、請求項１において、前記磁気表示パネルの液体は、前記各磁性体に施した色と異なる色に着色していることを特徴とする。
【考案の効果】
【００１３】
請求項１に係る本考案の磁気ボードは、磁気表示パネルの磁性体をＮ極表面部とＳ極表面部とが互いに異なる色に施されているものだから、Ｎ極とＳ極の筆記用磁石を用いることで、２種類の色調を表示することができる。また、磁気表示パネルの表面板から見た隣り合う各セルには互いに異なる極性となるように前記磁性体を挿入して封入してあるものだから、強磁性体の筆記具を用いると磁性体のＮ極表面部とＳ極表面部の双方が表面板側に引寄せられ、両方の色調が混合した色調が表示される。よって、３種類の筆記具により３種類の色調を表示することが出来る。
【００１４】
請求項２に係る本考案の磁気ボードは、強磁性体の板を前記磁気表示パネルの裏面板に沿って移動可能に配置し、当該板を移動させた時に各セル内の磁性体が裏面板側に移動するようにしてあるものだから、セル内の磁性体を裏面板側に引き寄せることができ、磁気表示パネルの表面板側に磁性体にて表示された色調を消すことが出来る。
【００１５】
請求項３に係る本考案の磁気ボードは、液体を前記各磁性体に施した色と異なる色に着色するようにしているものだから、各筆記具によって表示される３色の色調に加え、磁気表示用パネルに消去状態の色調を表示することが出来、背景色も含めると４色の表示を可能にした磁気ボードを提供することが出来る。
【図面の簡単な説明】
【００１６】
【図１】本考案の磁気ボードを前面側から説明する説明図である。
【図２】本考案の磁気ボードを後面側から説明する説明図である。
【図３】図１のＡ−Ａ矢視断面図である。
【図４】図３のＢ−Ｂ矢視断面図である。
【図５】本考案の磁気ボードに備えた表示用パネルを説明する説明図で、(ａ)は磁気表示用パネルの表面側を一部拡大した拡大図で、(ｂ)は(ａ)のＣ−Ｃ断面図である。
【図６】本考案の磁気ボードに備えた磁気表示用パネルの一部を断面図で図示して、消去状態を説明する説明図である。
【図７】本考案の磁気ボードに消去状態からＮ極の筆記用磁石で記載した状態を説明する図で、(ａ)はそのときの磁気ボードを図示し、(ｂ)はそのときの磁気表示用パネルの要部断面図である。
【図８】本考案の磁気ボードに消去状態からＳ極の筆記用磁石で記載した状態を説明する図で、(ａ)はそのときの磁気ボードを図示し、(ｂ)はそのときの磁気表示用パネルの要部断面図である。
【図９】本考案の磁気ボードに消去状態から鉄の筆記用磁石で記載した状態を説明する図で、(ａ)はそのときの磁気ボードを図示し、(ｂ)はそのときの磁気表示用パネルの要部断面図である。
【図１０】本考案の磁気ボードに備えた磁気表示用パネルの発展例を説明する説明図で、発展例の磁気表示用パネルの要部断面図である。
【図１１】従来の磁気ボードに利用される表示パネルとして磁気泳動反転表示パネルを説明する説明図で、(ａ)は第１の色調表示の説明図で、(ｂ)は第２の色調表示の説明図で、（ｃ)は第３の色調表示の説明図である。
【考案を実施するための形態】
【００１７】
本考案の磁気ボードは、磁気表示パネルの磁性体をＮ極表面部とＳ極表面部とが互いに異なる色に施し、Ｎ極とＳ極の筆記用磁石を用いることで、２種類の色調を表示する。また、磁気表示パネルの表面板から見た隣り合う各セルには互いに異なる極性となるように前記磁性体を挿入して封入し、強磁性体(例えば、鉄、ニッケル、コバルト、等)の筆記具を用いると磁性体のＮ極表面部とＳ極表面部の双方が表面板側に引き寄せられ、両方の色調が混合した色調表示される。よって、３種類の筆記具により３種類の色調を表示する。
【００１８】
磁気ボードは、強磁性体(例えば、鉄、ニッケル、コバルト、等)の板を前記磁気表示パネルの裏面板に沿って移動可能に配置し、当該金属板を移動させた時に各セル内の磁性体が裏面板側に移動するようにして、セル内の磁性体が裏面板側に引き寄せ、磁気表示パネルの表面板側に磁性体にて表示された色調を消し、液体を前記磁性体の色と異なる色に着色するようにすれば、各筆記具によって表示される３色の色調に加え、磁気表示用パネルに消去状態の色調を表示することが出来、背景色も含めると４色の表示を可能にした磁気ボードを提供する。
【実施例】
【００１９】
本考案の磁気ボードＤの実施例を図１〜図１０に図示し以下に説明する。図１は、本考案の磁気ボードＤを前面側から説明する説明図である。磁気ボードＤには、筆記用磁石で筆記させる磁気表示用パネル１を備えており、その下部に消去レバー２を配置している。
【００２０】
図２は、本考案の磁気ボードＤを後面側から説明する説明図である。磁気ボードＤの後面はカバー１３で覆われており、磁気表示用パネル１や後述する鉄板３、レール４などが外部に露出しないよう覆っている。
【００２１】
図３は、図１のＡ−Ａ矢視断面を図示しており、強磁性体の板(例えば鉄、ニッケル、コバルトなどの金属板で、以下の説明では鉄板で説明する。)３を前記磁気表示パネル１の裏面板８に沿って移動可能にするために、レール４を磁気表示パネル１の上下端部に配置し、前記鉄板３をレール４にローラを介して取り付け、鉄板３をレール４沿って滑らかに移動可能にしている。そして鉄板３の下部端部は、磁気表示用パネル１の下部より下方に突出してその先端部に磁気表示用パネル１の表面側にまで突出させた消去レバー２、２と接合されている。磁気ボードの前面側(磁気表示用パネル１の表面側)からこの消去レバー２、２を把持して鉄板３をレール４に沿って移動させることで、磁気表示パネル１の裏面側に沿って鉄板３を移動できるようにしてある。
【００２２】
図４は、図３のＢ−Ｂ矢視断面を図示しており、磁気表示パネル１の上下端部に配置したレール４や鉄板３を磁気ボードＤの後面側から図示したものである。
【００２３】
図５は、本考案の磁気ボードＤに備えた磁気表示用パネル１を説明する説明図で、(ａ)は磁気表示用パネルの表面側を一部拡大した拡大図で、(ｂ)は(ａ)のＣ−Ｃ断面図である。磁気表示用パネル１は、表面板７と裏面板８間に多数のセル５を備え、少なくとも表面板７を透明板または半透板で構成し、各セル５には降伏値を有する液体９と、各セル５に対して反転不能な状態で表面板７側と裏面板８側に自由に移動可能な磁性体６とを封入させ、磁性体６はＮ極表面部とＳ極表面部とが互いに異なる色に施され、表面板から見た隣り合う各セル５には互いに異なる極性となるように前記磁性体６を挿入して封入している。
【００２４】
磁気表示用パネル１の前記液体９は降伏値を有しているので、セル５内の磁性体6が外部からの磁力や磁性体６自身の磁力が作用したときにのみ磁性体６はセル５内を移動でき、当該磁力が作用しない場合には磁性体６はセル５内で静止するよう、液体９の降伏値を決定している。また液体９は、着色材を含有させて着色させている。そして液体９の色は、磁性体６のＮ極表面部とＳ極表面部に施した色とは異なる色に着色している。この実施例では白色に着色している。
【００２５】
なお、磁性体６はＮ極表面部とＳ極表面部とが互いに異なる色に施されているのであるが、この実施例では、磁性体６のＮ極表面部は赤色に施され、磁性体６のＳ極表面部は青色に施されている。
【００２６】
次に、本考案の磁気ボードＤに備えた磁気表示用パネル１の裏面側には鉄板３を配置してあり、磁気表示用パネル１の表面側からこの消去レバー２、２を把持して鉄板３をレール４に沿って移動させることで、磁気表示パネル１の裏面側に沿って鉄板３を移動できるようにしてあることは前述したが、磁気表示パネル１の裏面側に沿って鉄板３を移動させることで、セル５内の磁性体６すべてが裏面板８側に引き寄せられようにしている。この状態では、セル５内の磁性体６すべてが裏面板８側に引き寄せられた状態で静止しているので、磁性体６は液体９で隠蔽され磁気表示用パネル１の表面側には液体９しかなく、磁気表示用パネル１の表面には白色の色調が表示される。
【００２７】
図６に、この状態の磁気表示用パネルの一部を断面図で図示している。すなわち、磁気表示パネル１の裏面側に沿って鉄板３を移動させることで、セル５内の磁性体６すべてが裏面板８側に引き寄せられ、磁気表示パネル１の表面側を白色に表示した消去状態にできるようにしたものである。なお、本実施例では鉄板３を磁気表示パネル１の裏面側に沿って移動させて磁気表示パネル１を消去状態にするようにしたが、鉄板３に変えて強磁性体(例えばニッケル、コバルト、等)の板を用いてもよい。
【００２８】
このように構成された本考案の磁気ボードＤは、次のように作用するものである。まず図６に図示するように、磁気表示用パネル１を消去状態にした状態から、Ｎ極の筆記用磁石１０で図７の(ａ)に図示するように記載した場合について説明する。このときの磁気表示用パネル１の状態を、図７の(ｂ)に磁気表示用パネル１の要部断面図を用いて説明する。すなわち、消去状態からＮ極の筆記用磁石１０で記載すると、セル５内に挿入され封入された磁性体６の内、Ｓ極が表面板７の方に向いた磁性体６がＮ極の筆記用磁石１０に反応し、当該磁性体６が反転不能な状態でセル５内に挿入されているものだから表面板７の方に引き寄せられ、磁性体６のＳ極表面部に施された青色が磁気表示用パネル１に表示される。
【００２９】
なお、セル５内に挿入され封入された磁性体６の内、Ｎ極が表面板７の方に向いた磁性体６は、反転不能な状態でセル５内に挿入されているものだから、反転してＮ極の筆記用磁石１０に引き付けられることはない。また、Ｎ極の筆記用磁石１０で記載されていない部分のセル５内の磁性体６は、図７の(ｂ)に図示するように、磁力の影響を受けずに静止したままであるので、この部分は消去状態の白色が磁気表示用パネル１に表示される。
【００３０】
次に、図６に図示するように、磁気表示用パネル１を消去状態にした状態から、Ｓ極の筆記用磁石１０で図８の(ａ)に図示するように記載した場合について説明する。このときの磁気表示用パネル１の状態を、図８の(ｂ)に磁気表示用パネル１の要部断面図を用いて説明する。すなわち、消去状態からＳ極の筆記用磁石１０で記載すると、セル５内に挿入され封入された磁性体６の内、Ｎ極が表面板７の方に向いた磁性体６がＳ極の筆記用磁石１０に反応し、当該磁性体６が反転不能な状態でセル５内に挿入されているものだから表面板７の方に引き寄せられ、磁性体６のＮ極表面部に施された赤色が磁気表示用パネル１に表示される。
【００３１】
なお、セル５内に挿入され封入された磁性体６の内、Ｓ極が表面板７の方に向いた磁性体６は、反転不能な状態でセル５内に挿入されているものだから、反転してＳ極の筆記用磁石１０に引き付けられることはない。また、Ｓ極の筆記用磁石１０で記載されていない部分のセル５内の磁性体６は、図８の(ｂ)に図示するように、磁力の影響を受けずに静止したままであるので、この部分は消去状態の白色が磁気表示用パネル１に表示される。
【００３２】
更に、図６に図示するように、磁気表示用パネル１を消去状態にした状態から、鉄の筆記用具１０で図９の(ａ)に図示するように記載した場合について説明する。このときの磁気表示用パネル１の状態を、図９の(ｂ)に磁気表示用パネル１の要部断面図を用いて説明する。すなわち、消去状態から鉄の筆記用具１０で記載すると、セル５内に挿入され封入された磁性体６の内、表面板７の方に向いたＮ極の磁性体６とＳ極の磁性体６とが鉄の筆記用具１０に反応し、両方の磁性体６が反転不能な状態でセル５内に挿入されているものだから表面板７の方に引き寄せられ、磁性体６のＮ極表面部に施された赤色と、磁性体６のＳ極表面部に施された青色が磁気表示用パネル１に表示される。すなわち、両方の色調が混合した色調が磁気表示用パネル１に表示されるのである。
【００３３】
鉄の筆記用具１０で記載されていない部分のセル５内の磁性体６は、図９の(ｂ)に図示するように、磁力の影響を受けずに静止したままであるので、この部分は消去状態の白色が磁気表示用パネル１に表示される。なお、磁性体６のＳ極表面部に青色を施し、磁性体６のＮ極表面部に赤色を施し、液体９を白色に着色した場合、磁気表示用パネル１に表示される混合した色調は紫色になる。
【００３４】
以上のごとく構成し作用する本考案の磁気ボードＤは、磁気表示パネル１の磁性体６をＮ極表面部とＳ極表面部とが互いに異なる色に施されており、Ｎ極とＳ極の筆記用磁石１０を用いることで、２種類の色調を表示することができる。また、磁気表示パネル１の表面板７から見た隣り合う各セル５には互いに異なる極性となるように前記磁性体６を挿入して封入してあり、鉄の筆記具１０を用いると磁性体６のＮ極表面部とＳ極表面部の双方が表面板７側に引寄せられ、両方の色調が混合した色調が表示される。よって、３種類の筆記具により３種類の色調を表示することが出来る。
【００３５】
また、本考案の磁気ボードＤは、鉄板３を前記磁気表示パネル１の裏面板に沿って移動可能に配置し、当該鉄板３を移動させた時に各セル５内の磁性体６が裏面板８側に移動するようにしてあるものだから、セル５内の磁性体６が裏面板８側に引き寄せることができ、磁気表示パネル１の表面板７側に磁性体６にて表示された色調を消して、白色に着色した液体９の色調を表示すことが出来る。
【００３６】
そして本考案の磁気ボードＤは、液体９を前記磁性体６に施した色と異なる色に着色するようにしているものだから、各筆記具１０によってそれぞれ異なる色調の表示をすることが出来る合計３色の色調表示に加え、磁気表示用パネル１に消去状態の色調を表示することが出来、背景色も含めると４色の表示を可能にした磁気ボードＤを提供することが出来る。
【００３７】
次に、本考案の磁気ボードに備えた磁気表示用パネル２１の発展例を以下に説明する。図１０は、本考案の磁気ボードに備えた磁気表示用パネル２１の発展例を説明する説明図で、発展例の磁気表示用パネル２１の要部断面図である。この発展例の磁気表示用パネル２１は、前述した磁気表示用パネル１とは、セル５を区切る仕切板１１が異なっている。すなわち、図１０に示すように、表面板７側の仕切板１１先端部を二等辺三角形状に尖らせ表面を鏡状に仕上げてミラー１２としているものである。そして、磁性体６を磁気表示用パネル１の表面側に引き寄せたときに、磁性体６のＮ極表面部やＳ極表面部に施された色をミラー１２で反射させて磁気表示用パネル２１に表示させるようにしたものである。特に、磁性体６のＮ極表面部やＳ極表面部に施された色（特に磁性体の６磁極端側面に施された色）が前記ミラーに反射させて磁気表示用パネル２１に表示させることが出来るようにしたものである。
【００３８】
このようにした磁気表示用パネル２１は、ミラー１２で反射させて磁気表示用パネル２１に表示させるようにしたものであるから、仕切板１１の厚さ分だけ色の色調を表示することができなかったのを可及的に少なくすることができ、よりきれいな色調を表示することができる。このように構成した発展例の磁気表示用パネル２１も上述した磁気表示用パネル１と同様に実施できることは説明しなくても容易に理解できるので、磁気表示用パネル２１を利用した磁気ボードについての同様な作用、効果についての詳細な説明は省略する。
【００３９】
上記実施例では、磁性体６のＮ極表面部やＳ極表面部に施された色と液体９の色をそれぞれ赤色、青色、白色としたが、これらの色に限定されずそれぞれが異なる色となるよう  に設定した他の色であってもよいこと勿論のことである。
【００４０】
上記実施例では、強磁性体の板を鉄板３で説明したが、他の強磁性体の板としてニッケル、コバルト等の板であってもよいこと勿論のことである。
【符号の説明】
【００４１】
Ｄ  磁気ボード
１  磁気表示用パネル
３  鉄板(強磁性体の板)
５  セル
６  磁性体
７  表面板
８  裏面板
９  液体
２１  磁気表示用パネル
【図１】
0003207406.tif 000003
【図２】
0003207406.tif 000004
【図３】
0003207406.tif 000005
【図４】
0003207406.tif 000006
【図５】
0003207406.tif 000007
【図６】
0003207406.tif 000008
【図７】
0003207406.tif 000009
【図８】
0003207406.tif 000010
【図９】
0003207406.tif 000011
【図１０】
0003207406.tif 000012
【図１１】
0003207406.tif 000013